(57)【要約】【課題】パイプテントの組み立て、解体作業をするときに、手や指を挟まれないように安全に作業を行えるテント組立具を提供する。【解決手段】テント組立具は、上片、側片および下片よりなるコ字状平板の管支持部と、下片から側片の方向に斜め下方に向かって下片に延設された把持部を備える。そして、テント組み立て部材のパイプの内側に上片を入れることにより、上片と下片の間で該パイプを係止させ、片手で把持部を持ち上げてテント組み立て部材を取扱う。【選択図】図１
2015086639.tif 000002
【特許請求の範囲】
【請求項１】
上片、側片および下片よりなるコ字状平板の管支持部と、
下片から側片の方向に斜め下方に向かって下片に延設された把持部、
を備え、
テント組み立て部材のパイプの内側に上片を入れることにより、上片と下片の間で該パイプを係止させ、片手で把持部を持ち上げてテント組み立て部材を取扱う、
ことを特徴とするテント組立具。
【請求項２】
前記管支持部の下片から側片の方向に斜め下方に向かって下片に延設された耳片が設けられ、
前記耳片と前記把持部の先端片に第１ボルトを挿通する第１挿通孔が開穿され、
第１挿通孔に挿通する第１ボルトの軸心を回転軸として、前記管支持部と前記把持部の相対位置を調整し、該相対位置を固定するために、前記耳片と前記把持部の先端片に第２ボルトを挿通する第２挿通孔が開穿され、前記耳片と前記把持部の先端片はボルト及びナットにより挟着固定され、
前記耳片あるいは前記把持部の何れかの第２挿通孔が複数設けられたことを特徴とする請求項１に記載のテント組立具。
【請求項３】
前記管支持部の下片から側片の方向に斜め下方に向かって下片に延設された耳片が設けられ、
前記耳片と前記把持部の先端片に第１ボルトを挿通する第１挿通孔が開穿され、
第１挿通孔に挿通する第１ボルトの軸心を回転軸として、前記管支持部と前記把持部の相対位置を調整し、該相対位置を固定するために、前記耳片と前記把持部の先端片に第２ボルトを挿通する第２挿通孔が開穿され、前記耳片と前記把持部の先端片はボルト及びナットにより挟着固定され、
前記耳片あるいは前記把持部の何れかの第２挿通孔が長孔であることを特徴とする請求項１に記載のテント組立具。
【請求項４】
前記管支持部の側片にボルトを挿通する第３挿通孔が開穿され、
前記把持部を持つ手と別の手で把持するための第２把持部が設けられ、
該第２把持部の先端部は細径となり螺子ヤマが形成され、前記第２把持部が前記コ字状平板に垂直に配設され、締付けナットにより前記コ字状平板に挟着固定された、
ことを特徴とする請求項１〜３の何れかに記載のテント組立具。
【請求項５】
前記把持部は、下片から側片の方向に斜め下方に向かい、途中で湾曲して下方に向かうように形成されていることを特徴とする請求項１〜４の何れかに記載のテント組立具。
【発明の詳細な説明】
【技術分野】
【０００１】
本発明は、テントの組み立て・解体の作業時に用いるテント組立具に関する。
【背景技術】
【０００２】
学校や地域の行事の準備や後片付け中の災害は多く、特にテントの組み立て・解体の作業に起因するものが多発している。テントによる災害では、パイプの接合部に指を挟んで負傷したり、パイプや支柱を運搬する際に、それらが額や歯にあたるケースが多い。テントの組み立て・解体の作業では、複数の作業者が協力して行うため、作業者のタイミングが合わなかったり、テントの設営や撤収に不慣れなことも事故を誘発する要因になっている。
【０００３】
上記の問題は、特許文献１の明細書において、柱パイプ上の垂直部分を横から手をそえて、上に持ち上げなければならないことから、滑りやすく力が入りにくいといった点や、柱を伸ばす時に手や指を挟まれる場合があるといった点、解体時も同様に手や指を挟まれる場合がある点が指摘されている。
特許文献１では、パイプテントの組み立て、解体作業をするときに、手や指を挟まれないように安全に作業を行えることを目的として、柱パイプに軒パイプを差し込んだ時に、柱パイプと軒パイプを連結できる金具を取り付けることで解決することを試みている。
【先行技術文献】
【特許文献】
【０００４】
【特許文献１】特開２００４−７６５４６号公報
【発明の概要】
【発明が解決しようとする課題】
【０００５】
本発明は、パイプテントの組み立て、解体作業をするときに、手や指を挟まれないように安全に作業を行えるテント組立具を提供することを目的とする。
【課題を解決するための手段】
【０００６】
本発明者は、試作を重ね鋭意検討した結果、以下の構成のテント組立具を発案した。
上記課題を解決すべく、本発明のテント組立具は、上片、側片および下片よりなるコ字状平板の管支持部と、下片から側片の方向に斜め下方に向かって下片に延設された把持部を備える。そして、テント組み立て部材のパイプの内側に上片を入れることにより、上片と下片の間で該パイプを係止させ、片手で把持部を持ち上げてテント組み立て部材を取扱う。
これにより、パイプテントの組み立て、解体作業をするときに、手や指を挟まれないように安全に作業を行える。
【０００７】
ここで、コ字状平板は、鉄やステンレスなどの堅固な材質で作製される。堅固な材質であれば、金属以外の硬質性樹脂を用いることでも構わない。
コ字状平板の寸法は、テントのパイプの径などから適宜選択すればよいが、Ｕ字状平板の切欠き部の幅が５〜１０ｍｍ程度、深さが３０〜４０ｍｍ程度である。
把持部は、片手で把持しやすいように円柱状にするが、他の形状でも構わない。但し、把持部は、コ字状平板の管支持部の下片に延設されるため、延設される部分は平板状であり、途中から円柱状に変形させる。
【０００８】
また、好ましくは、本発明のテント組立具において、管支持部の下片から側片の方向に斜め下方に向かって下片に延設された耳片が設けられる。そして、耳片と把持部の先端片にボルトを挿通する第１挿通孔が開穿され、第１挿通孔に挿通する第１ボルトの軸心を回転軸として、管支持部と前記把持部の相対位置を調整し該相対位置を固定するために、耳片と把持部の先端片に第２ボルトを挿通する第２挿通孔が開穿され、耳片と把持部の先端片はボルト及びナットにより挟着固定される。そして、耳片あるいは把持部の何れかの第２挿通孔が複数設けられる。
或いは、耳片あるいは把持部の何れかの上記の第２挿通孔が長孔である。
上記構成によれば、テント組立具を使用する人の個人差や使い勝手によって、管支持部と把持部の相対位置を調整できる。
ここで、ナットは蝶ナットを用い、指で簡便に締め付け固定できる方が好ましい。
【０００９】
また、好ましくは、本発明のテント組立具において、管支持部の側片にボルトを挿通する第３挿通孔が開穿され、把持部を持つ手と別の手で把持するための第２把持部が設けられる。第２把持部の先端部は細径となり螺子ヤマが形成される。そして、第２把持部がコ字状平板に垂直に配設され、締付けナットによりコ字状平板に挟着固定される。
上記構成によれば、コ字状平板に係止されたパイプを、両手を用いて取扱うことができる。
【００１０】
また、本発明のテント組立具の把持部において、下片から側片の方向に斜め下方に向かい、途中で湾曲して下方に向かうように形成されていることが好ましい。
途中で湾曲させることにより、テント組立具の持ちやすさが向上できる。
【発明の効果】
【００１１】
本発明のテント組立具によれば、パイプテントの組み立て、解体作業をするときに、手や指を挟まれないように安全に作業を行えるといった効果がある。
【図面の簡単な説明】
【００１２】
【図１】実施例１のテント組立具の外観図
【図２】実施例１のテント組立具の正面図、左右側面図、平面図、底面図
【図３】実施例１のテント組立具の使用イメージ図
【図４】実施例２のテント組立具の説明図（１）
【図５】実施例２のテント組立具の説明図（２）
【図６】実施例２のテント組立具の説明図（３）
【図７】実施例３のテント組立具の説明図
【図８】実施例３のテント組立具の外観図（右側面図）
【図９】実施例４のテント組立具の説明図（１）
【図１０】実施例４のテント組立具の説明図（２）
【発明を実施するための最良の形態】
【００１３】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１４】
図１は、実施例１のテント組立具の外観図を示している。
実施例１のテント組立具１は、上片２１、側片２３および下片２２よりなるコ字状平板の管支持部２と、下片２２から側片２３の方向に斜め４５°下方に向かって、下片２２に延設された把持部３を備える。テント組み立て部材のパイプ５の内側に上片２１を入れることにより、上片２１と下片２２の間でパイプ（図示せず）を係止させて、片手で把持部３を持ち上げることにより、テント組み立て部材を取扱う。
管支持部２のコ字状平板は、鉄で作製されている。コ字状平板の寸法は、厚みが３ｍｍであり、上片２１の幅が７ｍｍ、下片２２の幅が７ｍｍ、切欠き部の幅が１０ｍｍ、深さが４０ｍｍである。
把持部３の柄の部分は、片手で把持しやすいように円柱状にし、コ字状平板の管支持部２の下片２２に延設される部分は平板状でありが途中から円柱状に変形させている。
【００１５】
図２は、実施例１のテント組立具の正面図、左右側面図、平面図、底面図を示している。なお、背面図は、正面図と対称に現れるため省略している。
また、図３は、実施例１のテント組立具の使用イメージとして、テント支柱のパイプ５の内側に上片２１を挿入し、片手で持ち上げている様子を示している。
【実施例２】
【００１６】
実施例２のテント組立具は、実施例１のテント組立具と異なり、図４に示すように、管支持部２の下片２２から側片２３の方向に斜め下方に向かって下片に延設された耳片２５が設けられる。耳片２５と把持部３の先端片３１には、ボルトを挿通する第１挿通孔（２６，３３）が開穿されている。耳片２５と把持部３の先端片３１は、ボルト４１及びナット５１により挟着固定される。そして、第１挿通孔（２６，３３）に挿通するボルト４１の軸心を回転軸とし、管支持部２と把持部３の相対位置が調整できる。管支持部２と把持部３の相対位置を固定するため、管支持部２の第２挿通孔（２７ａ〜２７ｃ）が３つ、把持部３の第２挿通孔（３４ａ〜３４ｃ）が３つ、それぞれ設けられている。
【００１７】
図４に示すように、管支持部２の３つの第２挿通孔（２７ａ〜２７ｃ）は、直線上に等間隔に設けられている。また、把持部３の３つの第２挿通孔（３４ａ〜３４ｃ）も同様に、直線上に等間隔に設けられている。そして、管支持部２の３つの第２挿通孔（２７ａ〜２７ｃ）で形成される直線と、把持部３の３つの第２挿通孔（３４ａ〜３４ｃ）で形成される直線とは、第２挿通孔（２７ｂ，３４ｂ）でクロスされるように配置されている。
このため、第１挿通孔（２６，３３）に挿通するボルト４１の軸心を回転軸とし、管支持部２と把持部３の相対位置が調整した場合、第２挿通孔にボルト４２を挿通させる組合せパターンが、（２７ａ，３４ａ）、（２７ｂ，３４ｂ）、（２７ｃ，３４ｃ）と３通りあり、それぞれの挿通パターンの違いによって、管支持部２と把持部３の相対位置を調整して固定できる。
【００１８】
第２挿通孔にボルト４２を挿通させる組合せパターンについて、図４〜６に示す。ここで、図４は、第２挿通孔（２７ｂ，３４ｂ）にボルト４２を挿通させる場合を示している。また、図５は、第２挿通孔（２７ｃ，３４ｃ）にボルト４２を挿通させる場合を示している。また、図６は、第２挿通孔（２７ａ，３４ａ）にボルト４２を挿通させる場合を示している。
それぞれの図において、（１）がボルト４１を第１挿通孔に挿通させる様子およびボルト４２を第２挿通孔に挿通させる様子を示しており、（２）が管支持部２と把持部３の相対位置が調整された様子を示している。
このように、実施例２のテント組立具によれば、ユーザの個人差や使い勝手によって、管支持部と把持部の相対位置を調整できるのである。
【実施例３】
【００１９】
実施例３のテント組立具は、実施例１，２のテント組立具と異なり、図７に示すように、管支持部の側片２３にボルトを挿通する第３挿通孔４０が開穿され、把持部２を持つ手と別の手で把持するための第２把持部４が設けられる。第２把持部４の先端部は細径となり螺子ヤマ４ｂが形成されている。そして、第２把持部４がコ字状平板に垂直に配設され、締付けナット４ｄによりコ字状平板に挟着固定される。
第２把持部４では、螺子ヤマ４ｂが形成される側の反対の他端は丸み４ａを設けている。締付けナット４ｄも丸みを設けている。第２把持部４の先端部の細径の段差部分には、締付けナット４と同径のナット４ｃを設けている。
【００２０】
図８は、実施例３のテント組立具の外観図（右側面図）を示している。図８（１）は、図に向かって右側に第２把持部４を取り付ける場合を示している。また、図８（２）は、図に向かって左側に第２把持部４を取り付ける場合を示している。
利き手は把持部３を握ることになるので、利き手以外の手で第２把持部４を掴むことになる。ユーザの好みに応じて、左右にどちらかに第２把持部４を取り付けられるようにし利便性の向上を図る。
このように、実施例３のテント組立具によれば、コ字状平板に係止されたパイプを、両手を用いて取扱うことができ、パイプを頭より高く持ち上げる際に有用である。
【実施例４】
【００２１】
実施例４のテント組立具は、図９，１０に示すように、実施例２のテント組立具と同様に、管支持部２の下片２２から側片２３の方向に斜め下方に向かって下片に延設された耳片２５が設けられる。耳片２５と把持部３の先端片３１には、ボルトを挿通する第１挿通孔（２６，３３）が開穿されている。耳片２５と把持部３の先端片３１は、ボルト４１及びナット５１により挟着固定される。そして、第１挿通孔（２６，３３）に挿通するボルト４１の軸心を回転軸とし、管支持部２と把持部３の相対位置が調整できる。
しかし、実施例２のテント組立具では、管支持部２と把持部３の相対位置を固定するために、管支持部２には、管支持部２の第２挿通孔（２７ａ〜２７ｃ）が３つ、把持部３の第２挿通孔（３４ａ〜３４ｃ）が３つ、それぞれ設けられているのに対して、実施例４のテント組立具では、管支持部２の耳片２５には長孔の第２挿通孔６０が１つ設けられ、把持部３には第２挿通孔３４が１つ設けられている。
【００２２】
実施例４のテント組立具では、図９に示すように、支持片７０が設けられている。支持片７０は、管支持部２と把持部３の相対位置をより頑丈に固定するために活用される。
支持片７０の一端には、管支持部２と連結するための第４挿通孔（７ａ〜７ｃ）が３つ、他端には、耳片２５と把持部３の先端片３１と連結するための第２挿通孔７ｄが１つ、それぞれ設けられている。また、管支持部２には、第４挿通孔６１が１つ設けられている。
図１０（１）では、ボルト４１は、把持部３の先端片３１の第１挿通孔３３と、管支持部２の耳片２５の第１挿通孔２６に挿通されている。また、ボルト４３は、管支持部２の第４挿通孔６１と、支持片７０の第４挿通孔７ｂに挿通されている。また、ボルト４２は、把持部３には第２挿通孔３４と、耳片２５の長孔の第２挿通孔６０と、支持片７０の第２挿通孔７ｄに挿通されている。このとき、ボルト４２は、耳片２５の長孔の第２挿通孔６０の中央付近に挿通されることになる。
【００２３】
一方、図１０（２）では、図１０（１）と異なり、ボルト４３は、管支持部２の第４挿通孔６１と、支持片７０の第４挿通孔７ｃに挿通されているため、ボルト４２は、把持部３には第２挿通孔３４と、耳片２５の長孔の第２挿通孔６０と、支持片７０の第２挿通孔７に挿通される場合、ボルト４２は、耳片２５の長孔の第２挿通孔６０の端部に挿通されることになる。
また、図１０（３）では、図１０（１），（２）と異なり、ボルト４３は、管支持部２の第４挿通孔６１と、支持片７０の第４挿通孔７ａに挿通されているため、ボルト４２は、把持部３には第２挿通孔３４と、耳片２５の長孔の第２挿通孔６０と、支持片７０の第２挿通孔７に挿通される場合、ボルト４２は、耳片２５の長孔の第２挿通孔６０の端部（図１０（２）の場合とは反対の端部）に挿通されることになる。
【００２４】
図１０（１）〜（３）に示すように、実施例４のテント組立具によれば、ユーザの個人差や使い勝手によって、管支持部と把持部の相対位置を調整できるのである。
【産業上の利用可能性】
【００２５】
本発明は、パイプテントの組み立て、解体時に使用する道具に有用である。
【符号の説明】
【００２６】
１  テント組立具
２  管支持部
３  把持部
４  第２把持部
５  パイプ
２１  上片
２２  下片
２３  側片
２４  切欠き
２５  耳片
３１  先端片
３２  柄
２６，３３  第１挿通孔
２７ａ〜２７ｃ，３４，３４ａ〜３４ｃ，７ｄ  第２挿通孔
４０  第３挿通孔
４１，４２，４３  ボルト
５１，５２，５３  ナット
６０  長孔の第２挿通孔
７ａ〜７ｃ，６１  第４挿通孔
７０  支持片
【図１】
2015086639.tif 000003
【図２】
2015086639.tif 000004
【図３】
2015086639.tif 000005
【図４】
2015086639.tif 000006
【図５】
2015086639.tif 000007
【図６】
2015086639.tif 000008
【図７】
2015086639.tif 000009
【図８】
2015086639.tif 000010
【図９】
2015086639.tif 000011
【図１０】
2015086639.tif 000012